(57)【要約】【課題】表示させる画像として新たに取得した画像について、表示時間が減るのを抑える。【解決手段】表示制御装置１０は、画像形成装置２０がスキャンした原稿の画像データを取得する。表示制御装置１０は、取得した画像データが示す画像の表示時間と表示周期を設定し、設定した表示時間と表示周期を画像形成装置２０に表示させる。画像形成装置２０において、設定した表示時間と表示周期の変更が行われた場合、表示制御装置１０は、変更後の表示時間と表示周期を受け付け、取得した画像データが示す画像の表示時間と表示周期を受け付けた表示時間と表示周期に変更する。表示制御装置１０は、新たに取得した画像データが示す画像を表示装置３０で表示する際に、設定した表示時間と表示周期で表示する。【選択図】図１
2019213032.tif 000002
【特許請求の範囲】
【請求項１】
画像データを取得する取得手段と、
前記取得手段が取得した画像データについて、当該画像データが示す画像の表示時間と、当該画像データが示す画像の表示周期を対応付けて記憶する記憶手段と、
前記取得手段が画像データを新たに取得した場合、新たに取得した画像データが示す画像の表示時間と表示周期を、表示する画像の数と、表示する画像の表示時間と表示周期に応じて設定する設定手段と、
前記設定手段が設定した新たに取得した画像データが示す画像の表示時間と表示周期を外部装置に表示させる表示手段と、
前記外部装置で表示された表示時間と表示周期の変更を受け付ける受付手段と、
前記取得手段が新たに取得した画像データが示す画像を、前記受付手段が受け付けた表示時間と表示周期で表示装置に表示させる表示制御手段と
を備える表示制御装置。
【請求項２】
前記取得手段は、取得した画像データを供給したユーザの情報を取得し、
前記受付手段は、前記新たに取得した画像データが示す画像について、表示手段で表示された表示時間と表示周期の変更を前記ユーザの情報ごとに予め定められた範囲内で受け付ける
請求項１に記載の表示制御装置。
【請求項３】
前記受付手段は、前記新たに取得した画像データが示す画像について、前記ユーザの情報に応じて前記表示時間と前記表示周期の変更を制限する
請求項２に記載の表示制御装置。
【請求項４】
前記表示制御手段は、表示する画像の数が予め定められた閾値以上である場合、予め定められた条件を満たす画像データが示す画像の表示を行わない
請求項１に記載の表示制御装置。
【請求項５】
前記表示制御手段は、前記記憶手段に記憶されている画像データにおいて取得した日時からの経過時間が予め定められた時間を超えた画像データが示す画像の表示を行わない
請求項４に記載の表示制御装置。
【請求項６】
前記取得手段は、取得した画像データを供給したユーザの情報を取得し、
前記設定手段は、新たに取得した画像データが示す画像の優先度を前記ユーザの情報に応じて設定し、
前記表示制御手段は、前記設定手段で設定された優先度が予め定められた閾値未満の画像を表示しない
請求項４に記載の表示制御装置。
【請求項７】
前記表示制御手段は、表示する画像の数が予め定められた閾値以上である場合、前記表示装置の表示領域を複数に分割し、分割した各領域に異なる前記画像データの画像を表示させる
請求項１に記載の表示制御装置。
【請求項８】
前記表示制御手段は、予め定められた条件を満たす画像データが示す画像を、前記領域に表示させる
請求項７に記載の表示制御装置。
【請求項９】
コンピュータを、
画像データを取得する取得手段と、
前記取得手段が画像データを新たに取得した場合、新たに取得した画像データが示す画像の表示時間と表示周期を、表示する画像の数と、表示する画像の表示時間と表示周期に応じて設定する設定手段と、
前記設定手段が設定した新たに取得した画像データが示す画像の表示時間と表示周期を外部装置に表示させる表示手段と、
前記外部装置で表示された表示時間と表示周期の変更を受け付ける受付手段と、
前記取得手段が新たに取得した画像データが示す画像を、前記受付手段が受け付けた表示時間と表示周期で表示装置に表示させる表示制御手段
として機能させるためのプログラム。
【発明の詳細な説明】
【技術分野】
【０００１】
本発明は、表示制御装置及びプログラムに関する。
【背景技術】
【０００２】
画像形成装置で読み取った原稿をデジタルサイネージ装置で表示する発明として、特許文献１に開示された発明がある。この発明に係る画像形成装置は、原稿を読み取って生成した複数の画像データを記憶する。また、この画像形成装置は、複数の画像データを表示する際のレイアウト、表示の時間間隔、表示順番などの表示態様をユーザの操作に応じて設定し、設定した表示態様を示す番組情報を記憶する。画像形成装置は、記憶した画像データと番組情報をデジタルサイネージ装置へ送信し、デジタルサイネージ装置は、画像形成装置が送信した画像データと番組情報を受信する。デジタルサイネージ装置は、受信した画像データが示す画像を番組情報に従って表示する。
【先行技術文献】
【特許文献】
【０００３】
【特許文献１】特開２０１６−９６５１０号公報
【発明の概要】
【発明が解決しようとする課題】
【０００４】
デジタルサイネージ装置においては、複数の画像を設定された表示期間で順次表示していくものがある。このようなデジタルサイネージ装置において、表示させる画像を追加した場合、各画像の表示時間を一定とした場合には、新たに画像を取得したことで表示の周期が長くなる。表示する画像が追加されても各画像の表示周期を一定にしようとすると、表示する画像が増えるにつれて各画像の表示時間が短くなってしまう。
【０００５】
本発明は、表示させる画像として新たに取得した画像について、表示時間が減るのを抑えることを目的とする。
【課題を解決するための手段】
【０００６】
本発明の請求項１に係る表示制御装置は、画像データを取得する取得手段と、前記取得手段が取得した画像データについて、当該画像データが示す画像の表示時間と、当該画像データが示す画像の表示周期を対応付けて記憶する記憶手段と、前記取得手段が画像データを新たに取得した場合、新たに取得した画像データが示す画像の表示時間と表示周期を、表示する画像の数と、表示する画像の表示時間と表示周期に応じて設定する設定手段と、前記設定手段が設定した新たに取得した画像データが示す画像の表示時間と表示周期を外部装置に表示させる表示手段と、前記外部装置で表示された表示時間と表示周期の変更を受け付ける受付手段と、前記取得手段が新たに取得した画像データが示す画像を、前記受付手段が受け付けた表示時間と表示周期で表示装置に表示させる表示制御手段とを備える。
【０００７】
本発明の請求項２に係る表示制御装置においては、前記取得手段は、取得した画像データを供給したユーザの情報を取得し、前記受付手段は、前記新たに取得した画像データが示す画像について、表示手段で表示された表示時間と表示周期の変更を前記ユーザの情報ごとに予め定められた範囲内で受け付ける。
【０００８】
本発明の請求項３に係る表示制御装置においては、前記受付手段は、前記新たに取得した画像データが示す画像について、前記ユーザの情報に応じて前記表示時間と前記表示周
期の変更を制限する。
【０００９】
本発明の請求項４に係る表示制御装置においては、前記表示制御手段は、表示する画像の数が予め定められた閾値以上である場合、予め定められた条件を満たす画像データが示す画像の表示を行わない。
【００１０】
本発明の請求項５に係る表示制御装置においては、前記表示制御手段は、前記記憶手段に記憶されている画像データにおいて取得した日時からの経過時間が予め定められた時間を超えた画像データが示す画像の表示を行わない。
【００１１】
本発明の請求項６に係る表示制御装置においては、前記取得手段は、取得した画像データを供給したユーザの情報を取得し、前記設定手段は、新たに取得した画像データが示す画像の優先度を前記ユーザの情報に応じて設定し、前記表示制御手段は、前記設定手段で設定された優先度が予め定められた閾値未満の画像を表示しない。
【００１２】
本発明の請求項７に係る表示制御装置においては、前記表示制御手段は、表示する画像の数が予め定められた閾値以上である場合、前記表示装置の表示領域を複数に分割し、分割した各領域に異なる前記画像データの画像を表示させる。
【００１３】
本発明の請求項８に係る表示制御装置においては、前記表示制御手段は、予め定められた条件を満たす画像データが示す画像を、前記領域に表示させる。
【００１４】
本発明の請求項９に係るプログラムは、コンピュータを、画像データを取得する取得手段と、前記取得手段が画像データを新たに取得した場合、新たに取得した画像データが示す画像の表示時間と表示周期を、表示する画像の数と、表示する画像の表示時間と表示周期に応じて設定する設定手段と、前記設定手段が設定した新たに取得した画像データが示す画像の表示時間と表示周期を外部装置に表示させる表示手段と、前記外部装置で表示された表示時間と表示周期の変更を受け付ける受付手段と、前記取得手段が新たに取得した画像データが示す画像を、前記受付手段が受け付けた表示時間と表示周期で表示装置に表示させる表示制御手段として機能させるためのプログラムである。
【００１５】
本発明に係る表示システムは、原稿から画像を読み取る読取手段と、前記読取手段が読み取った画像を出力する出力手段とを有する読取装置と、前記出力手段が出力した画像データを取得する取得手段と、前記取得手段が取得した画像データについて、当該画像データが示す画像の表示時間と、当該画像データが示す画像の表示周期を対応付けて記憶する記憶手段と、前記取得手段が画像データを新たに取得した場合、新たに取得した画像データが示す画像の表示時間と表示周期を、前記記憶手段に記憶されている画像データの数と、前記記憶手段に記憶されている画像データが示す画像の表示時間と表示周期に応じて設定する設定手段と、前記設定手段が設定した新たに取得した画像データが示す画像の表示時間と表示周期を外部装置に表示させる表示手段と、前記外部装置で表示された表示時間と表示周期の変更を受け付ける受付手段と、前記取得手段が新たに取得した画像データが示す画像を、前記受付手段が受け付けた変更で変更された表示時間と表示周期で表示装置に表示させる表示制御手段とを有する表示制御装置とを有する。
【発明の効果】
【００１６】
本発明の請求項１に係る表示制御装置によれば、表示させる画像を新たに取得しても、それぞれの画像について表示時間が減るのを抑えることができる。
本発明の請求項２に係る表示制御装置によれば、表示時間と表示周期の変更をユーザに応じて受け付け、表示させる画像を新たに取得しても、それぞれの画像について表示時間が減るのを抑えることができる。
本発明の請求項３に係る表示制御装置によれば、表示時間と表示周期の変更をユーザに応じて制限し、表示させる画像を新たに取得しても、それぞれの画像について表示時間が減るのを抑えることができる。
本発明の請求項４に係る表示制御装置によれば、表示する画像数を抑え、表示される画像について表示時間が減るのを抑えることができる。
本発明の請求項５に係る表示制御装置によれば、表示する画像数を抑え、表示される画像について表示時間が減るのを抑えることができる。
本発明の請求項６に係る表示制御装置によれば、表示する画像数を抑え、表示される画像について表示時間が減るのを抑えることができる。
本発明の請求項７に係る表示制御装置によれば、複数の画像を同時に表示し、表示される画像について表示時間が減るのを抑えることができる。
本発明の請求項８に係る表示制御装置によれば、表示される画像について表示時間が減るのを抑えることができる。
本発明の請求項９に係るプログラムによれば、表示させる画像を新たに取得しても、それぞれの画像について表示時間が減るのを抑えることができる。
【図面の簡単な説明】
【００１７】
【図１】本発明の一実施形態の表示システム１に係る装置を示した図。
【図２】表示制御装置１０のハードウェア構成を示すブロック図。
【図３】表示制御装置１０の機能ブロック図。
【図４】画像形成装置２０のハードウェア構成を示すブロック図。
【図５】制御部１０１が行う処理の流れを示したフローチャート。
【図６】画像形成装置２０が表示する画面の一例を示した図。
【図７】画像形成装置２０が表示する画面の一例を示した図。
【図８】画像形成装置２０が表示する画面の一例を示した図。
【発明を実施するための形態】
【００１８】
［実施形態］
（全体構成）
図１は、本発明の一実施形態の表示システム１に係る装置を示した図である。表示システム１は、映像や文字を表示して広告の表示や情報発信を行う所謂デジタルサイネージのシステムである。通信回線２は、データ通信が行われる通信ネットワークであり、データ通信を行う複数のコンピュータ装置が接続される。通信回線２には、有線及び無線の通信ネットワークが含まれる。
【００１９】
画像形成装置２０は、用紙に画像を形成する画像形成機能、文書を読み取るスキャン機能、複写機能、ファクシミリ機能などを備えた所謂複合機であり、本発明に係る読取装置の一例である。画像形成装置２０は、通信回線２に接続されており、通信回線２を介して他のコンピュータ装置に接続し、データ通信を行う。本実施形態においては、画像形成装置２０は、スキャン機能で読み取った画像を示す画像データを、通信回線２を介して他のコンピュータ装置へ送信する機能や他の装置の操作手段としての機能を有する。画像形成装置２０は、通信回線２に複数接続可能であるが、図１においては、図面が煩雑になるのを防ぐため、一つの画像形成装置２０のみを示す。
【００２０】
表示装置３０は、例えば、液晶ディスプレイであり、本発明に係る表示装置の一例である。表示装置３０は、表示制御装置１０に接続され、表示制御装置１０から供給される映像信号が示す画像を表示する。なお、表示装置３０は、液晶ディスプレイに限定されるものではなく、プロジェクタや有機ＥＬディスプレイであってもよい。また、表示装置３０は、図１においては、図面が煩雑になるのを防ぐために一つの表示装置３０のみを示しているが、複数の表示装置３０を表示制御装置１０に接続することが可能である。
【００２１】
表示制御装置１０は、表示装置３０で表示する画像を示す映像信号を出力するコンピュータ装置であり、本発明に係る表示制御装置の一例である。表示制御装置１０は、通信回線２に接続されており、表示装置３０で表示する画像を示す画像データを、通信回線２を介して他のコンピュータ装置から取得する。表示制御装置１０は、取得した画像データが示す画像に対応した映像信号を表示装置３０へ出力し、当該画像を当該画像に設定された表示時間と表示周期で表示装置３０に表示させる。表示制御装置１０は、複数の画像データを記憶し、各画像データの画像を切り替えて表示装置３０に表示させることができる。
【００２２】
表示システム１は、例えば、ショッピングセンターに設けられる。表示装置３０は、ショッピングセンターの通路に設置され、画像形成装置２０及び表示制御装置１０は、ショッピングセンターのバックヤードに設置される。表示システム１においては、表示装置３０で表示する広告や情報が記載された原稿が画像形成装置２０で読み取られ、読み取られた原稿を示す画像データが表示制御装置１０に記憶され、記憶された画像データが示す画像が表示装置３０で表示される。例えば、広告の原稿を画像形成装置２０で読み取れば、読み取った広告を表示装置３０で表示することができる。表示制御装置１０は、複数の画像データを記憶している場合、複数の画像を切り替えて表示装置３０に表示させることができる。
【００２３】
（表示制御装置１０の構成）
図２は、表示制御装置１０のハードウェア構成の一例を示したブロック図である。信号出力部１０６は、表示装置３０で表示する画像を示す映像信号を出力する。通信部１０５は、通信回線２を介したデータ通信を行う通信インターフェースとして機能し、通信回線２を介して画像形成装置２０と通信を行う。記憶部１０２は、例えば不揮発性メモリを有しており、外部装置から取得した画像データを記憶する。記憶部１０２は、本発明に係る記憶手段の一例である。
【００２４】
制御部１０１は、ＣＰＵ（Central Processing Unit）、ＲＡＭ（Random Access Memory）及びＲＯＭ（Read Only Memory）を有している。表示制御装置１０において実現する機能は、ＲＯＭに記憶されているプログラム（ソフトウェア）をＣＰＵ、ＲＡＭなどのハードウェア上に読み込ませることでＣＰＵが演算を行い、記憶部１０２の制御、通信部１０５の制御、信号出力部１０６の制御、ＲＡＭ及び記憶部１０２におけるデータの読み出し及び／又は書き込みの制御を行うことで実現される。ＲＯＭに記憶されＣＰＵに実行されるプログラムは、本発明に係るプログラムの一例である。
【００２５】
（表示制御装置１０の機能構成）
図３は、表示制御装置１０において実現する機能のうち、本発明に係る特徴的な機能の構成を示した機能ブロック図である。取得部１００１は、外部装置から送信された画像データを取得する。取得部１００１は、本発明に係る取得手段の一例である。設定部１００２は、取得部１００１が取得した画像データが示す画像の表示時間と表示周期を設定する。設定部１００２は、本発明に係る設定手段の一例である。設定表示部１００３は、設定部１００２が設定した表示時間と表示周期を外部装置に表示させる。設定表示部１００３は、本発明に係る表示手段の一例である。受付部１００４は、設定表示部１００３によって外部装置で表示された表示時間と表示周期の設定の変更を受け付ける。受付部１００４は、本発明に係る受付手段の一例である。表示制御部１００５は、取得部１００１が取得した画像データが示す画像を、設定された表示時間と表示周期で表示装置３０に表示させる。表示制御部１００５は、本発明に係る表示制御手段の一例である。
【００２６】
（画像形成装置２０の構成）
図４は、画像形成装置２０のハードウェア構成の一例を示した図である。操作部２０４
は、画像形成装置２０を操作するための複数のボタンを有する。また、操作部２０４は、液晶ディスプレイと、液晶ディスプレイの表示面において指の接触を検出するセンサとを組み合わせたタッチパネルを備えている。タッチパネルは、画像形成装置２０を操作するためのＧＵＩの画面を表示する。また、タッチパネルは、表示装置３０で表示する画像の表示時間と表示周期を設定するためのＧＵＩの画面を表示する。なお、本実施形態においては、画像形成装置２０はタッチパネルを有し、タッチパネルとボタンで画像形成装置２０を操作可能であるが、タッチパネルの替わりに液晶ディスプレイを有し、液晶ディスプレイでＧＵＩの画面を表示し、ボタンで画像形成装置を操作する構成であってもよい。通信部２０５は、通信回線２に有線または無線で接続されており、通信回線２に接続されている他の装置とデータ通信を行う。通信部２０５は、本発明に係る出力手段の一例である。
【００２７】
スキャン部２０６は、文書を光学的に読み取り、読み取った文書の画像を表す画像ファイルを生成する画像読取装置（図示略）を備えている。スキャン部２０６は、本発明に係る読取手段の一例である。画像処理部２０８は、用紙に形成する画像を表す画像データに各種処理を施すものである。画像処理部２０８は、制御部２０１から供給される画像データが表す画像に色補正や階調補正等の画像処理を施し、画像処理が施された画像からＹｅｌｌｏｗ（Ｙ）、Ｍａｇｅｎｔａ（Ｍ）、Ｃｙａｎ（Ｃ）、Ｂｌａｃｋ（Ｋ）の各色の画像の画像データを生成して画像形成部２０７へ出力する。
【００２８】
画像形成部２０７は、電子写真方式によって用紙にトナー像を形成する。具体的には、画像形成部２０７は、Ｙｅｌｌｏｗの色のトナー像を形成する画像形成エンジン、Ｍａｇｅｎｔａの色のトナー像を形成する画像形成エンジン、Ｃｙａｎの色のトナー像を形成する画像形成エンジン、Ｂｌａｃｋの色のトナー像を形成する画像形成エンジンを備えている。各画像形成エンジンは、画像処理部２０８が出力した画像データに従って感光体上に静電潜像を形成した後、感光体表面にトナーを付着させてＹｅｌｌｏｗ、Ｍａｇｅｎｔａ、Ｃｙａｎ、Ｂｌａｃｋの各色のトナー像を形成し、このトナー像を用紙に転写する。そして、用紙に転写されたトナー像に熱と圧力を加えて定着させた後、トナー像が形成された用紙を画像形成装置２０の外へ排出する。なお、画像形成部２０７は、本実施形態においてはトナーを用いて用紙に画像を形成するが、インクジェット方式などのインクを用いて用紙に画像を形成する構成としてもよい。また、画像形成部２０７は、上述した４色の画像形成エンジンに加え、他の色の画像形成エンジンを有する構成であってもよい。
【００２９】
記憶部２０２は、データを永続的に記憶する記憶装置を有しており、他の装置から送信されて通信部２０５が受信した画像データを記憶する。
【００３０】
制御部２０１は、ＣＰＵ及びメモリを有している。画像形成装置２０において実現する機能は、記憶部２０２に記憶されているプログラム（ソフトウェア）をＣＰＵ、メモリなどのハードウェア上に読み込ませることでＣＰＵが演算を行い、各部の制御、メモリ及び記憶部２０２におけるデータの読み出し及び／又は書き込みの制御を行うことで実現される。
【００３１】
（実施形態の動作例）
次に本実施形態の動作例について説明する。表示システム１のユーザは、画像形成装置２０を操作し、表示装置３０で表示する広告の原稿をスキャン機能により画像形成装置２０に読み取らせる。画像形成装置２０は、読み取った原稿を示す画像データを生成する。ユーザは、画像形成装置２０が原稿の読み取りが終了すると、生成された画像データを表示制御装置１０へ送る操作を行う。画像形成装置２０は、この操作が行われると、生成した画像データを表示制御装置１０へ送信する。表示制御装置１０（取得部１００１）は、画像形成装置２０から送信された画像データを取得する。
【００３２】
図５は、画像データを取得した表示制御装置１０が行う処理の流れの一例を示したフローチャートである。制御部１０１（取得部１００１）は、取得した画像データを記憶部１０２に記憶させる（ステップＳ１）。次に制御部１０１は、画像データの記憶が完了したことを通知する画面のデータを画像形成装置２０へ送信する（ステップＳ２）。画像形成装置２０は、表示制御装置１０から送信されたデータを取得すると、画像データの記憶が完了したことを通知する画面を取得したデータに従って操作部２０４のタッチパネルで表示する。
【００３３】
図６は、画像データの記憶が完了したことを通知する画面の一例を示した図である。ユーザは、図６の画面を確認すると、図６で例示した画面に表示された「表示時間の設定」のボタンを操作する。画像形成装置２０は、タッチパネルにおいて「表示時間の設定」のボタンの部分が操作されると、当該ボタンが操作されたことを通知するメッセージを表示制御装置１０へ送信する。
【００３４】
通信部１０５は、このメッセージを受信する。制御部１０１は、通信部１０５が受信したメッセージを取得する（ステップＳ３）。制御部１０１（設定部１００２）は、「表示時間の設定」のボタンが操作されたことを通知するメッセージを取得すると、取得した画像データが示す画像について、表示時間と表示周期を設定する（ステップＳ４）。ここで制御部１０１は、例えば、表示時間については予め定められた時間に設定し、表示周期については、表示装置３０で表示する他の画像の表示時間から設定する。例えば、制御部１０１は、表示時間については１０秒に設定する。また、制御部１０１は、表示周期については、例えば、他に表示装置３０で表示する画像として２つの画像があり、この２つの画像の表示時間がそれぞれ１０秒である場合、２つの画像を表示した後で取得した画像データが示す画像に切り替えて表示するため、取得した画像データが示す画像の表示周期を２０秒に設定する。
【００３５】
制御部１０１（設定表示部１００３）は、ステップＳ４の処理を終えると、この時点において表示制御装置１０が表示装置３０で順次表示している画像の数と、ステップＳ４で設定した表示時間及び表示周期を含み、表示時間と表示周期の変更を問い合わせるＧＵＩの画面のデータを画像形成装置２０へ送信する（ステップＳ５）。画像形成装置２０は、このデータを取得すると、表示時間と表示周期の変更を問い合わせるＧＵＩの画面を操作部２０４のタッチパネルで表示する。
【００３６】
図７は、表示時間と表示周期の変更の問い合わせを行うＧＵＩの画面の一例を示した図である。図７に例示した画面は、表示制御装置１０が表示装置３０で順次表示している画像の数と、スキャンした画像に設定した表示時間及び表示周期を表示する。また、図７に例示した画面は、３つのボタンを有する。
【００３７】
ユーザが、図７の画面で「表示中止」のボタンの部分を操作すると、画像形成装置２０は、「表示中止」のボタンが操作されたことを通知するメッセージを表示制御装置１０へ送信する。通信部１０５は、このメッセージを受信する。制御部１０１は、通信部１０５が受信したメッセージを取得する（ステップＳ６）。
【００３８】
制御部１０１は、取得したメッセージが「表示中止」のボタンが操作されたことを通知するメッセージである場合（ステップＳ７でＹＥＳ）、ステップＳ１で記憶部１０２に記憶させた画像データを消去し（ステップＳ８）、図５の処理を終了する。取得した画像データが消去されるため、取得した画像データが示す画像は、表示装置３０で表示されないこととなる。
【００３９】
また、ユーザが、図７の画面で「ＯＫ」のボタンの部分を操作すると、画像形成装置２０は、「ＯＫ」のボタンが操作されたことを通知するメッセージを表示制御装置１０へ送信する。通信部１０５は、このメッセージを受信する。制御部１０１は、通信部１０５が受信したメッセージを取得する（ステップＳ６）。制御部１０１は、取得したメッセージが「ＯＫ」のボタンが操作されたことを通知するメッセージである場合（ステップＳ７でＮＯ、ステップＳ９でＮＯ）、ステップＳ１で記憶部１０２に記憶させた画像データが示す画像の表示時間及び表示周期について、ステップＳ４で設定した表示時間及び表示周期を記憶部１０２に記憶させる（ステップＳ１０）。
【００４０】
また、ユーザが、図７の画面で「変更」のボタンの部分を操作すると、画像形成装置２０は、「変更」のボタンが操作されたことを通知するメッセージを表示制御装置１０へ送信する。通信部１０５は、このメッセージを受信する。制御部１０１は、通信部１０５が受信したメッセージを取得する（ステップＳ６）。制御部１０１は、取得したメッセージが「変更」のボタンが操作されたことを通知するメッセージである場合（ステップＳ７でＮＯ、ステップＳ９でＹＥＳ）、表示時間と表示周期の設定を行うＧＵＩの画面のデータを画像形成装置２０へ送信する（ステップＳ１１）。画像形成装置２０は、このデータを取得すると、表示時間と表示周期の設定を行うＧＵＩの画面を操作部２０４のタッチパネルで表示する。
【００４１】
図８は、表示時間と表示周期の設定を行うＧＵＩの画面の一例を示した図である。図８に例示した画面は、表示時間を設定するスピンボタンのＧＵＩと、表示周期を設定するスピンボタンのＧＵＩを有する。ユーザがタッチパネルにおいて表示時間を設定するスピンボタンの部分を操作すると、表示時間が増加又は減少する。ユーザがタッチパネルにおいて表示周期を設定するスピンボタンの部分を操作すると、表示周期が増加又は減少する。ユーザがタッチパネルにおいてＯＫのボタンの部分を操作すると、画像形成装置２０は、ＧＵＩで表示している表示時間を示す情報と、ＧＵＩで表示している表示周期を示す情報を表示制御装置１０へ送信する。
【００４２】
通信部１０５は、表示時間を示す情報と表示周期を示す情報を受信する。制御部１０１（受付部１００４）は、通信部１０５が受信した情報を取得する（ステップＳ１２）。制御部１０１（受付部１００４）は、ステップＳ１で記憶部１０２に記憶させた画像データが示す画像の表示時間及び表示周期について、ステップＳ１２で取得した情報が示す表示時間及び表示周期を記憶部１０２に記憶させる（ステップＳ１３）。
【００４３】
次に制御部１０１は、表示装置３０で表示する他の画像の表示時間と表示周期を、ステップＳ１２で取得した情報に基づいて変更する（ステップＳ１４）。例えば、新たに取得した画像データ以外に２つの画像データの画像を表示装置３０で表示し、ステップＳ１２で取得した情報が示す表示周期が１５秒である場合を想定する。この場合、取得した画像データの画像の表示周期である１５秒の間に他の２つの画像を切り替えて表示することとなるため、制御部１０１は、他の２つの画像については、記憶部１０２に記憶されている表示時間を各々７．５秒に変更する。制御部１０１は、取得した画像データの画像の表示時間については、記憶部１０２に記憶されている表示時間を、取得した情報が示す表示時間に変更する。
【００４４】
制御部１０１（表示制御部１００５）は、図５の処理を終えると、記憶部１０２に記憶されている画像データが示す画像について、対応付けて記憶されている表示時間と表示周期で表示されるように、画像データが示す画像に対応した映像信号を信号出力部１０６へ出力する。
【００４５】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００４６】
本発明においては、記憶部１０２に記憶される画像データに優先度を設定し、制御部１０１は、画像データが示す画像の表示時間と表示周期の設定について、設定されている優先度に従って設定してもよい。例えば、制御部１０１は、設定されている優先度が予め定められた閾値未満である画像データについては、ＧＵＩでユーザが設定可能な表示時間を予め定められた時間内とし、ＧＵＩでユーザが設定可能な表示周期を予め定められた時間以上としてもよい。また、制御部１０１は、設定されている優先度が高くなるにつれて、ユーザがＧＵＩで設定可能な表示時間を長くし、設定されている優先度が高くなるにつれて、ユーザがＧＵＩで設定可能な表示周期を短くするようにしてもよい。
【００４７】
なお、画像データに設定する優先度については、画像形成装置２０を操作するユーザに応じて設定してもよい。例えば、画像形成装置２０は、使用するユーザのユーザＩＤとパスワードを記憶し、ユーザをユーザＩＤとパスワードにより認証する。画像形成装置２０は、ユーザＩＤ毎に予めユーザに定められた優先度を対応付けて記憶する。画像形成装置２０は、画像データを表示制御装置１０へ送信する際に、認証したユーザのユーザＩＤに対応付けられている優先度を画像データに設定する。また、ユーザＩＤとユーザに設定された優先度を対応付けて記憶部１０２に記憶し、制御部１０１が画像データに優先度を設定する構成としてもよい。この構成の場合、画像形成装置２０は、認証したユーザのユーザＩＤを画像データと共に表示制御装置１０へ送信する。制御部１０１は、画像形成装置２０から送信された画像データとユーザＩＤを取得し、取得したユーザＩＤに対応付けられている優先度を取得した画像データに設定してもよい。
【００４８】
本発明においては、表示制御装置１０は、記憶部１０２に記憶されている画像データの数が予め定められた数を超えた場合、表示装置３０において順次切り替えて表示する画像の数を予め定められた数に限定してもよい。表示装置３０において順次切り替えて表示する画像の数を予め定められた数に限定する場合、記憶部１０２に記憶された画像データのうち、記憶部１０２に記憶された日時が新しい順で予め定められた数の画像データを表示装置３０で表示し、他の画像データの画像を表示しないようにしてもよい。また、制御部１０１は、記憶部１０２に記憶されている画像データの数が予め定められた数を超えた場合、記憶されている画像データのうち、記憶された日時が最も古い画像データを削除してもよい。また、本発明においては、記憶部１０２に記憶されている画像データにおいて、表示する画像データとして設定されている画像データの数が予め定められた数を超えた場合、表示装置３０において順次切り替えて表示する画像の数を予め定められた数に限定してもよい。
【００４９】
本発明においては、記憶部１０２に記憶されてから予め定められた時間が経過した画像データについては、画像データが示す画像を表示装置３０で表示しないようにしてもよい。
【００５０】
本発明においては、記憶部１０２に記憶されている画像データの数が予め定められた閾値以上となった場合、設定されている優先度が予め定められた閾値未満の画像データについては、画像データが示す画像を表示装置３０で表示しないようにしてもよい。
また、本発明においては、記憶部１０２に記憶されている画像データにおいて、表示する画像データとして設定されている画像データの数が予め定められた数を超えた場合、設定されている優先度が予め定められた閾値未満の画像データについては、画像データが示す画像を表示装置３０で表示しないようにしてもよい。
【００５１】
本発明においては、表示する画像データとして設定されている画像データの数が予め定められた閾値以上となった場合、表示装置３０の表示領域を複数に分割し、複数の画像データの画像を分割された領域に振り分けて表示してもよい。また、本発明においては、記憶部１０２に記憶されている画像データの数が予め定められた閾値以上となった場合、表示装置３０の表示領域を複数に分割し、記憶されている複数の画像データの画像を分割された領域に振り分けて表示してもよい。
また、本発明においては、表示装置３０の表示領域を複数に分割する場合、予め定められた条件を満たす画像については、分割された領域に表示しない構成としてもよい。例えば、制御部１０１は、画像データが示す画像に対して文字認識の処理を行い、画像内の文字数が予め定められた閾値以上の場合や画像内の文字サイズが予め定められた閾値未満の画像については、分割された領域に表示しない構成としてもよい。
【００５２】
本発明においては、制御部１０１は、新たな画像データの取得により他の画像データが示す画像について表示時間と表示周期を変更した場合、表示時間と表示周期が変更されたことを画像の読み取りの操作を行ったユーザに通知する構成としてもよい。この構成においては、例えば、画像形成装置２０は、ユーザＩＤに対応付けて、ユーザのメールアドレスを記憶する。画像形成装置２０は、画像データを表示制御装置１０へ送信する際に、認証したユーザのユーザＩＤに対応付けられているメールアドレスも送信する。表示制御装置１０は、画像形成装置２０から送信された画像データとメールアドレスを取得し、取得した画像データとメールアドレスを対応付けて記憶する。制御部１０１は、記憶している画像データが示す画像について表示時間と表示周期を変更した場合、画像データに対応付けて記憶しているメールアドレスへ宛てて、ユーザが読み取りを行った原稿について表示時間と表示周期を変更したことを通知する電子メールを送信する。
【００５３】
上述した実施形態においては、操作部２０４への操作で画像の表示態様を設定しているが、画像の表示態様を設定する構成は、実施形態の構成に限定されるものではない。例えば、通信回線２に接続されたパーソナルコンピュータ又は表示制御装置１０に直接接続されたパーソナルコンピュータを表示制御装置１０のコントローラとしてもよい。この構成の場合、表示制御装置１０は、図６、７の画面をパーソナルコンピュータに表示させ、パーソナルコンピュータで表示された画面に対して行われた操作に応じて、表示装置３０に表示させる画像の表示態様を設定する。
また、本発明においては、表示制御装置１０と表示装置３０とが一体化した構成としてもよい。表示制御装置１０と表示装置３０とが一体化した構成であり、表示装置３０がタッチパネルを有する構成の場合、図６、７の画面を表示装置３０で表示し、タッチパネルで表示制御装置１０を操作してもよい。また、表示制御装置１０と表示装置３０とが一体化した構成であり、表示装置３０がタッチパネルを有していない構成の場合、図６、７の画面を表示装置３０で表示し、例えばマウスやキーボードで表示制御装置１０を操作してもよい。
本発明においては、図６、７に例示した画面は、表示装置３０の画面の全面で表示してもよく、また、画面の一部の領域で表示してもよい。
【００５４】
上述した実施形態においては、表示制御装置１０は、画像形成装置２０から画像データを取得しているが、原稿の画像を読み取り、読み取った画像の画像データを生成するスキャナ装置から画像データを取得してもよい。また、表示制御装置１０は、表示装置３０で表示する画像を示す画像データを、通信回線２に接続されたパーソナルコンピュータから取得してもよいし、外部のサーバーから取得してもよい。
【００５５】
本発明に係る各装置のプログラムは、磁気記録媒体（磁気テープ、磁気ディスク（ＨＤＤ（HardDisk Drive）、ＦＤ（Flexible Disk））など）、光記録媒体（光ディスクなど
）、光磁気記録媒体、半導体メモリなどのコンピュータ読み取り可能な記録媒体に記憶した状態で提供し、インストールしてもよい。また、通信回線を介してプログラムをダウンロードしてインストールしてもよい。
【符号の説明】
【００５６】
１…表示システム、２…通信回線、１０…表示制御装置、２０…画像形成装置、３０…表示装置、１０１…制御部、１０２…記憶部、１０５…通信部、１０６…信号出力部、２０１…制御部、２０２…記憶部、２０４…操作部、２０５…通信部、２０６…スキャン部、２０７…画像形成部、２０８…画像処理部、１００１…取得部、１００２…設定部、１００３…設定表示部、１００４…受付部、１００５…表示制御部
【図１】
2019213032.tif 000003
【図２】
2019213032.tif 000004
【図３】
2019213032.tif 000005
【図４】
2019213032.tif 000006
【図５】
2019213032.tif 000007
【図６】
2019213032.tif 000008
【図７】
2019213032.tif 000009
【図８】
2019213032.tif 000010